(57)【要約】【課題】不正防止対策の必要な基板を機構盤に取り付ける際の作業工程を簡略したパチンコ機を提供すること。【解決手段】メイン基板１６に対するネジ穴１７及び上蓋５に対する締結機構１９を機構盤１に備えており、当該ネジ穴１７を介してメイン基板１６を機構盤１に取り付ける作業及び、当該締結機構１９を介して上蓋５を機構盤１に締結する作業の２つの作業工程を経れば、メイン基板１６を機構盤１に取り付けるとともに、メイン基板１６の不正防止対策として、上蓋５と機構盤１でメイン基板１６を封止することができる。【選択図】  図１
2004275255.tif 000002
【特許請求の範囲】
【請求項１】
タンク及び、タンクレール、賞球払出装置を取り付るための機構盤と、基板と、前記基板の不正防止対策として前記基板を封止するための上蓋とを有するパチンコ機において、
前記基板に対する取付機構及び前記上蓋に対する締結機構を前記機構盤に備えたこと、を特徴とするパチンコ機。
【発明の詳細な説明】
【０００１】
【発明の属する技術分野】
本発明は、不正防止対策が必要な基板（例えば、メイン基板など）を有するパチンコ機に関する。
【０００２】
【従来の技術】
従来のパチンコ機においては、遊技内容が記憶されているＲＯＭが不正に書き換えられることを防止するために、この不正防止対策として、当該ＲＯＭを搭載したメイン基板をケース本体と上蓋で封止している（例えば、特許文献１参照）。
【０００３】
【特許文献１】
特開２０００−１１６９１２号公報
【０００４】
この点、ケース本体と上蓋は、例えば、特殊なネジなどを用いて締結されており、当該ＲＯＭを取り出そうとすれば、ケース本体や上蓋、又はケース本体と上蓋との締結機構を破壊する必要があるので、当該ＲＯＭを不正に書き換えられることを防止することができる。
【０００５】
【発明が解決しようとする課題】
しかしながら、パチンコ機が機構盤を備えている場合、タンク及び、タンクレール、賞球払出装置などはネジなどで機構盤に直接に取り付けられるにもかかわらず、当該ＲＯＭを搭載したメイン基板は、不正防止対策を施す観点から、メイン基板をケース本体に取り付ける作業及び、メイン基板が取り付けられたケース本体に上蓋を締結する作業、上蓋が締結されたケース本体を機構盤に取り付ける作業など、少なくとも３つの作業工程を経ることにより、機構盤に取り付けていた。
【０００６】
そこで、本発明は、上述した点を鑑みてなされたものであり、不正防止対策の必要な基板を機構盤に取り付ける際の作業工程を簡略したパチンコ機を提供することを課題とする。
【０００７】
【課題を解決するための手段】
この課題を解決するために成された請求項１に係る発明は、タンク及び、タンクレール、賞球払出装置を取り付るための機構盤と、基板と、前記基板の不正防止対策として前記基板を封止するための上蓋とを有するパチンコ機において、前記基板に対する取付機構及び前記上蓋に対する締結機構を前記機構盤に備えたこと、を特徴としている。
【０００８】
すなわち、本発明のパチンコ機では、基板に対する取付機構及び上蓋に対する締結機構を機構盤に備えており、当該取付機構を介して基板を機構盤に取り付ける作業及び、当該締結機構を介して上蓋を機構盤に締結する作業の２つの作業工程を経れば、基板を機構盤に取り付けるとともに、基板の不正防止対策として、上蓋と機構盤で基板を封止することができるので、不正防止対策の必要な基板を機構盤に取り付ける際の作業工程を簡略することが可能である。
【０００９】
また、本発明のパチンコ機では、基板に対する取付機構及び上蓋に対する締結機構を機構盤に備えることにより、従来技術で使用されているケース本体を不要にするので、材料の節約・コスト削減等に貢献することができる。
【００１０】
【発明の実施の形態】
以下、本発明の実施の形態を図面を参照にして説明する。図４に、本実施の形態のパチンコ機の裏面に設けられた機構盤１の正面図を示す。図４に示すように、機構盤１には、タンク２及び、タンクレール３、賞球払出装置４、メイン基板を封止するための上蓋５、電源基板をカバーするための上蓋６、中継基板７などが取り付けられている。
【００１１】
この点、タンク２及び、タンクレール３、賞球払出装置４、中継基板７などは、図１に示すように、機構盤１に設けられた多数のネジ穴Ｐや多数の係爪部Ｓのいずれかを介して、機構盤１に取り付けられている。
【００１２】
一方、上蓋６でカバーされる電源基板１３は、機構盤１に設けられた２つのネジ穴１４に対して、電源基板１３に設けられた２つのネジ穴１５を通してネジがねじ込まれることにより、機構盤１に取り付けられている。そして、上蓋６は、機構盤１に設けられた４つの係爪部１１に対して、上蓋６の四方に設けられた４つの係止部１２を係合させることにより、図２に示すように、機構盤１に取り付けられている。これにより、上蓋６は、機構盤１から容易に取り外すことができない。
【００１３】
尚、図３は、機構盤１に対して、タンク２及び、タンクレール３、賞球払出装置４、中継基板７などを取り付けた際の正面図であるが、図３には、機構盤１に設けられた２つのネジ穴１４と、機構盤１に設けられた４つの係爪部１１とが明確に表されている。
【００１４】
また、図１に示すように、上蓋５でカバーされるメイン基板１６は、機構盤１に対角に設けられた２つのネジ穴１７に対して、メイン基板１６に設けられた２つのネジ穴１８を通してネジがねじ込まれることにより、機構盤１に取り付けられている。また、上蓋５は、機構盤１に設けられた締結機構１９により、図２に示すようにして、機構盤１に取り付けられている。
【００１５】
尚、図３は、機構盤１に対して、タンク２及び、タンクレール３、賞球払出装置４、中継基板７などを取り付けた際の正面図であるが、図３には、機構盤１に対角に設けられた２つのネジ穴１７が明確に表されている。
【００１６】
ここで、機構盤１に設けられた締結機構１９について説明すると、機構盤１に設けられた締結機構１９は、図１や図３に示すように、上下側にそれぞれ２つ設けられた第１係爪部１９Ａと、左側に設けられた３つの第２係止部１９Ｂと、左側に設けられた４つの穴部１９Ｃと、右側に設けられた２つの第３係止部１９Ｄなどから構成されている。
【００１７】
そして、機構盤１に設けられた締結機構１９を介して、機構盤１に上蓋５を取り付ける際には、図５（ａ），（ｂ）に示すように、機構盤１に設けられた締結機構１９の各第１係爪部１９Ａに対して、上蓋５の各第１係合部５Ａを係合させる。このためには、上蓋５は、図６（ａ），（ｂ），（ｃ）に示すように、機構盤１に設けられた締結機構１９の各第１係爪部１９Ａに対して、斜め方向から接近させた後で、横方向にスライドさせる。
【００１８】
このとき、図７（ａ），（ｂ），（ｃ）に示すように、上蓋５の各第２係合部５Ｂは、機構盤１に設けられた締結機構１９の各第２係爪部１９Ｂと係合する。また、上蓋５においてバネ５Ｅを介して摺動可能に設けられた各干渉部材１９Ｃが、機構盤１に設けられた締結機構１９の各穴部１９Ｃに進入し、機構盤１に設けられた締結機構１９と上蓋５との間に介在する。さらに、図９に示すように、上蓋５の各第３係合部５Ｄは、機構盤１に設けられた締結機構１９の各第３係爪部１９Ｄと係合する。
尚、図９は、上蓋５及び上蓋６が取り付けられた状態の機構盤１を部分的に示した図８の線Ａ−Ａで切断した断面図である。
【００１９】
これにより、上蓋５は、機構盤１に設けられた締結機構１９を介して、機構盤１に隙間なく取り付けられるので、メイン基板１６を封止することができる。従って、機構盤１に上蓋５が取り付けられた状態では、機構盤１や上蓋５、又は機構盤１に設けられた締結機構１９などを破壊しなければ、メイン基板１６に搭載されたＲＯＭなどに触れることはできない。
【００２０】
以上詳細に説明したように、本実施の形態のパチンコ機では、メイン基板１６に対するネジ穴１７及び上蓋５に対する締結機構１９を機構盤１に備えており、当該ネジ穴１７を介してメイン基板１６を機構盤１に取り付ける作業及び、当該締結機構１９を介して上蓋５を機構盤１に締結する作業の２つの作業工程を経れば、メイン基板１６を機構盤１に取り付けるとともに、メイン基板１６の不正防止対策として、上蓋５と機構盤１でメイン基板１６を封止することができるので、不正防止対策の必要なメイン基板１６を機構盤１に取り付ける際の作業工程を簡略することが可能である。
【００２１】
また、本実施の形態のパチンコ機では、メイン基板１６に対するネジ穴１７及び上蓋５に対する締結機構１９を機構盤１に備えることにより、従来技術で使用されているケース本体を不要にするので、材料の節約・コスト削減等に貢献することができる。
【００２２】
尚、本発明は上記実施の形態に限定されるものでなく、その趣旨を逸脱しない範囲で様々な変更が可能である。
例えば、本実施の形態のパチンコ機では、メイン基板１６の不正防止対策として、上蓋５と機構盤１でメイン基板１６を封止しているが、その他の基板が不正防止対策を必要とするならば、同様にして行うことができる。
【００２３】
【発明の効果】
本発明のパチンコ機では、基板に対する取付機構及び上蓋に対する締結機構を機構盤に備えており、当該取付機構を介して基板を機構盤に取り付ける作業及び、当該締結機構を介して上蓋を機構盤に締結する作業の２つの作業工程を経れば、基板を機構盤に取り付けるとともに、基板の不正防止対策として、上蓋と機構盤で基板を封止することができるので、不正防止対策の必要な基板を機構盤に取り付ける際の作業工程を簡略することが可能である。
【００２４】
また、本発明のパチンコ機では、基板に対する取付機構及び上蓋に対する締結機構を機構盤に備えることにより、従来技術で使用されているケース本体を不要にするので、材料の節約・コスト削減等に貢献することができる。
【図面の簡単な説明】
【図１】本実施の形態のパチンコ機の裏面に設けられた機構盤の分解組立斜視図であって、メイン基板と、メイン基板を封止するための上蓋と、電源基板と、電源基板をカバーするための上蓋とを取り付ける際の図である。
【図２】本実施の形態のパチンコ機の裏面に設けられた機構盤の斜視図であって、メイン基板を封止するための上蓋と、電源基板をカバーするための上蓋とを取り付けた際の図である。
【図３】本実施の形態のパチンコ機の裏面に設けられた機構盤の正面図であって、タンク及び、タンクレール、賞球払出装置、中継基板などを取り付けた際の図である。
【図４】本実施の形態のパチンコ機の裏面に設けられた機構盤の正面図である。
【図５】本実施の形態のパチンコ機の裏面に設けられた機構盤の締結機構に対し、上蓋が取り付けられる際の状態を示した図である。
【図６】本実施の形態のパチンコ機の裏面に設けられた機構盤の締結機構に対し、上蓋が取り付けられる際の状態を示した図である。
【図７】本実施の形態のパチンコ機の裏面に設けられた機構盤の締結機構に対し、上蓋が取り付けられる際の状態を示した図である。
【図８】本実施の形態のパチンコ機の裏面に設けられた機構盤の部分正面図である。
【図９】図８の線Ａ−Ａで切断した断面図である。
【符号の説明】
１  機構盤
２  タンク
３  タンクレール
４  賞球払出装置
５  上蓋
１６  メイン基板
１９  締結機構
Ｐ  ネジ穴
【図１】
2004275255.tif 000003
【図２】
2004275255.tif 000004
【図３】
2004275255.tif 000005
【図４】
2004275255.tif 000006
【図５】
2004275255.tif 000007
【図６】
2004275255.tif 000008
【図７】
2004275255.tif 000009
【図８】
2004275255.tif 000010
【図９】
2004275255.tif 000011